(57)【要約】【課題】低性能センサーを用いた人検知機能を備える画像形成装置の省電力化を図る。【解決手段】画像形成装置１００は、第１電力状態の通常モード、及び第１電力状態より省電力の省電力モードで動作する。画像形成装置１００は、人感センサー部１１と、操作部２と、制御部１０とを備える。人感センサー部１１は、検知対象を検知し、検知対象を検知したことを示す検知信号を生成する。操作部２は、検知対象からの操作を受け付け、検知対象からの操作内容を示す操作信号を生成する。制御部１０は、検知信号の受信に応じて第１タイマー処理を実行し、操作信号の受信に応じて第２タイマー処理を実行する。第１タイマー処理がタイムアウトするまでの第１時間が経過すると、通常モードから省電力モードに移行し、第２タイマー処理がタイムアウトするまでの第２時間が経過すると、通常モードから省電力モードに移行し、第１時間は、第２時間よりも短い。【選択図】図１
2019188667.tif 000002
【特許請求の範囲】
【請求項１】
第１電力状態の通常モード、及び前記第１電力状態より省電力の第２電力状態の省電力モードで動作する画像形成装置であって、
検知対象を検知し、前記検知対象を検知したことを示す検知信号を生成するセンサー部と、
前記検知対象からの操作を受け付け、前記検知対象からの操作内容を示す操作信号を生成する操作部と、
前記センサー部からの前記検知信号の受信に応じて第１タイマー処理を実行し、前記操作部からの前記操作信号の受信に応じて第２タイマー処理を実行する制御部と
を備え、
前記第１タイマー処理は、前記制御部が前記センサー部から前記検知信号を受信してからの経過時間を計時する処理を示し、
前記第２タイマー処理は、前記制御部が前記操作部からの前記操作信号の受信が停止してからの経過時間を計時する処理を示し、
前記第１タイマー処理がタイムアウトするまでの第１時間が経過すると、前記制御部は前記通常モードから前記省電力モードに移行し、
前記第２タイマー処理がタイムアウトするまでの第２時間が経過すると、前記制御部は前記通常モードから前記省電力モードに移行し、
前記第１時間は、前記第２時間よりも短い、画像形成装置。
【請求項２】
前記制御部は、前記第１タイマー処理と前記第２タイマー処理とに基づいて、前記通常モードと前記省電力モードとの間を移行する、請求項１に記載の画像形成装置。
【請求項３】
前記制御部は、前記省電力モードの時に前記センサー部からの前記検知信号を受信すると、前記省電力モードから前記通常モードに移行し、前記第１タイマー処理を開始する、請求項１又は請求項２に記載の画像形成装置。
【請求項４】
前記制御部は、前記通常モードの時に前記検知信号を受信しても、前記第１タイマー処理の経過時間をリセットしない、請求項１〜請求項３のいずれか１項に記載の画像形成装置。
【請求項５】
前記制御部は、前記通常モードの時に前記操作部からの前記操作信号を受信すると、前記第１タイマー処理を停止し、
前記制御部は、前記操作部からの前記操作信号の受信が停止したら、前記第２タイマー処理を開始する、請求項１〜請求項４のいずれか１項に記載の画像形成装置。
【請求項６】
前記制御部は、前記通常モードの時に前記センサー部からの前記検知信号を受信すると、前記第２タイマー処理の経過時間をリセットした後に前記第２タイマー処理を開始する、請求項１〜請求項５のいずれか１項に記載の画像形成装置。
【請求項７】
前記制御部は、前記操作信号によって示された操作内容に基づいて、前記第１タイマー処理を停止するか否かを判定する、請求項１〜請求項６のいずれか１項に記載の画像形成装置。
【発明の詳細な説明】
【技術分野】
【０００１】
本発明は、画像形成装置に関する。
【背景技術】
【０００２】
昨今では、消費電力削減のために、画像形成装置及びプリンターは、一部デバイスの電源をオフにするなど節電状態（以下省電力モードと呼ぶ）にする機能をサポートしている。しかしながら、ユーザーが画像形成装置を省電力モードから使用する際には、タッチパネル入力又はキー入力を実施することにより、省電力モードを解除する操作をユーザーが手動で行わなければならない。その解除操作の煩雑さを改善するために人感センサーを用いた以下のような技術が存在する。特許文献１に記載の画像形成装置は、使用者が画像形成装置の近傍に近付いたことを、焦電素子と複数のレンズとを組み合わせたセンサーで検知した場合、省電力モードを解除して、省電力モードから通常モードへ復帰する。
【先行技術文献】
【特許文献】
【０００３】
【特許文献１】特開２００２−００６６８６号公報
【発明の概要】
【発明が解決しようとする課題】
【０００４】
しかしながら、特許文献１に記載の画像形成装置によれば、画像形成装置の近傍にユーザーが存在していることを検知できるが、高性能センサー又は複数のセンサーを組み合わせるためにコストがかかる。
【０００５】
本発明は、低性能センサーを用いて、省電力モードを解除することができる画像形成装置を提供することを目的とする。
【課題を解決するための手段】
【０００６】
本発明に係る画像形成装置は、第１電力状態の通常モード、及び前記第１電力状態より省電力の第２電力状態の省電力モードで動作する。画像形成装置は、センサー部と、操作部と、制御部とを備える。前記センサー部は、検知対象を検知し、前記検知対象を検知したことを示す検知信号を生成する。前記操作部は、前記検知対象からの操作を受け付け、前記検知対象からの操作内容を示す操作信号を生成する。前記制御部は、前記センサー部からの前記検知信号の受信に応じて第１タイマー処理を実行し、前記操作部からの前記操作信号の受信に応じて第２タイマー処理を実行する。前記第１タイマー処理、前記検知信号を受信してからの経過時間を計時する処理を示し、前記第２タイマー処理は、前記操作信号の受信が停止してからの経過時間を計時する処理を示す。前記第１タイマー処理がタイムアウトするまでの第１時間が経過すると、前記制御部は前記通常モードから前記省電力モードに移行する。前記第２タイマー処理がタイムアウトするまでの第２時間が経過すると、前記制御部は前記通常モードから前記省電力モードに移行し、前記第１時間は、前記第２時間よりも短い。
【発明の効果】
【０００７】
本発明によれば、低性能の人感センサーを使用して、省電力モードを解除することができる。
【図面の簡単な説明】
【０００８】
【図１】本発明の実施形態に係る画像形成装置の構成を示すブロック図である。
【図２】制御部の動作状態の移行を説明する図である。
【図３】制御部の処理を示すフローチャートである。
【図４】制御部の処理を示すフローチャートである。
【図５】検知信号及び操作信号と電力状態との一例を示す図である。
【図６】検知信号及び操作信号と電力状態との他例を示す図である。
【図７】検知信号及び操作信号と電力状態との他例を示す図である。
【図８】検知信号及び操作信号と電力状態との他例を示す図である。
【図９】操作イベントと第１タイマー処理の停止との関係を示す図である。
【発明を実施するための形態】
【０００９】
以下、図面を参照して、本発明に係る画像形成装置の実施形態について説明する。なお、図中、同一又は相当部分については同一の参照符号を付して説明を繰り返さない。
【００１０】
図１を参照して、本実施形態に係る画像形成装置１００の構成を説明する。図１は、画像形成装置１００の構成を示す図である。本実施形態において、画像形成装置１００は、画像を形成する。
【００１１】
画像形成装置１００は、第１電力状態の通常モード、及び第２電力状態の省電力モードで動作する。第２電力状態は第１電力状態より省電力の状態である。画像形成装置１００は、人感センサー部１１と、操作部２と、通信部８と、制御部１０とを備える。
【００１２】
人感センサー部１１は、検知対象としてのユーザーを検知し、ユーザーを検知したことを示す検知信号を生成する。本実施形態において、人感センサー部１１はセンサー部として機能する。
【００１３】
操作部２は、ユーザーからの操作を受け付け、ユーザーからの操作内容を示す操作信号を生成する。ユーザーが操作を行っている間は、操作信号を生成し、ユーザーが操作を行っていない間は、操作信号を生成しない。
【００１４】
操作部２は、タッチパネル２１及び複数の操作キー２２を含む。タッチパネル２１は、ディスプレー及びタッチセンサーを含む。
【００１５】
ディスプレーは、各種画面を表示する。各種画面は、待ち受け画面及びサービス画面を含む。待ち受け画面は、例えば、各種処理の実行を指示するためのメニューボタンを含む。サービス画面は、例えば、画像形成装置１００の設定を変更するための画面である。ディスプレーは、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）である。
【００１６】
タッチセンサーは、被検知体によるタッチを検知する。タッチセンサーは、被検知体によるタッチを検知した位置を示す位置信号を出力する。被検知体は、例えば、ユーザーの手指である。タッチセンサーは、例えば、抵抗膜方式のタッチセンサーである。複数の操作キー２２は、例えば、テンキー、スタートキー、及びキャンセルキーを含む。
【００１７】
通信部８は、同じ通信方式を（プロトコル）を利用する通信機が搭載された電子機器との間で通信が可能である。
【００１８】
制御部１０は、検知信号の受信に応じて第１タイマー処理を実行し、操作信号の受信に応じて第２タイマー処理を実行する。第１タイマー処理は、検知信号を受信してからの経過時間を計時する処理を示す。第２タイマー処理は、操作信号の受信が停止してからの経過時間を計時する処理を示す。制御部１０は、第１タイマーｔ１と第２タイマーｔ２とを備える。第１タイマーｔ１は、第１タイマー処理において計時された秒数を示し、第２タイマーｔ２は、第２タイマー処理において計時された秒数を示す。
【００１９】
制御部１０は、ＣＰＵ（Ｃｅｎｔｒａｌ  Ｐｒｏｃｅｓｓｉｎｇ  Ｕｎｉｔ）のようなプロセッサーによって構成される。また、制御部１０は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部１０は、制御プログラムを実行することにより、画像形成装置１００の各部の動作を制御する。
【００２０】
画像形成装置１００は、第１タイマー処理がタイムアウトするまでの第１時間が経過すると、通常モードから省電力モードに移行する。画像形成装置１００は、第２タイマー処理がタイムアウトするまでの第２時間が経過すると、通常モードから省電力モードに移行する。第１時間は、第２時間よりも短い。
【００２１】
ユーザーを検知した後に計時を開始する第１タイマー処理のタイムアウトが、ユーザーによる操作が終わった後に計時を開始する第２タイマー処理のタイムアウトより短い。このタイムアウトの差によって、ユーザーが操作をせずに通り過ぎた場合は、ユーザーが操作をした場合と比べて、短い時間で通常モードから省電力モードに移行することができる。その結果、省電力時間を長くすることができる。
【００２２】
画像形成装置１００は、筐体１、給紙部３、搬送部４、補給部５、画像形成部６、排出部７、記憶部９、及び電源部１９を更に備える。本実施形態において、画像形成装置１００は、モノクロ方式により画像を形成する。
【００２３】
給紙部３は、複数のシートＳを収容し、収容された複数のシートＳを一枚ずつ給紙する。
【００２４】
搬送部４は、給紙されたシートＳを排出部７まで搬送する。
【００２５】
補給部５は、画像形成部６へ消耗品を補給する。本実施形態において、消耗品は、トナーである。
【００２６】
画像形成部６は、画像形成処理を実行する。詳しくは、画像形成部６は、消耗品を使用してシートＳに画像（トナー像）を形成する。本実施形態において、画像形成部６は、図示しない露光装置、帯電装置、感光体ドラム、現像装置、クリーニング装置、転写装置、及び定着装置を備え、電子写真方式によって画像を形成する。
【００２７】
排出部７は、トナー像が定着したシートＳを、シート排出口を介して筐体１の内部から排出トレイへ排出する。
【００２８】
記憶部９は、各種のデータを記憶する。記憶部９は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。記憶部９は、制御プログラムを記憶する。
【００２９】
電源部１９は、画像形成装置１００を構成する各部位の少なくとも一部に電力を供給する。
【００３０】
続いて、図１〜図４を参照して、制御部１０の動作状態を説明する。本実施形態において、制御部１０は、人感センサー部１１からの検知信号の受信、及び操作部２からの操作信号の受信に応じて、種々の動作状態を移行する。
【００３１】
始めに、図１及び図２を参照して、制御部１０の動作状態の移行について説明する。図２は、制御部１０の動作状態の種類を説明する図である。例えば、動作状態は、第１動作状態１０１〜第４動作状態１０７である。第１動作状態１０１は、省電力モードに対応する。第２動作状態１０３は、通常モードに対応する。第３動作状態１０５は、通常モードに対応する。第４動作状態１０７は、通常モードに対応する。
【００３２】
制御部１０の動作状態が、第１動作状態１０１の時に、人感センサー部１１がユーザーを検知して検知信号を生成すれば、制御部１０は検知信号を人感センサー部１１から受信し、制御部１０の動作状態は第２動作状態１０３へ移行する。制御部１０は、人感センサー部１１から検知信号の受信に応じて第１タイマー処理を実行する。制御部１０の動作状態が第２動作状態１０３の時に、制御部１０が実行する第１タイマー処理がタイムアウトすれば、制御部１０の動作状態は第１動作状態１０１へ移行する。制御部１０は、経過時間が第１時間になると第１タイマー処理を終了する。
【００３３】
制御部１０の動作状態が、第２動作状態１０３の時、制御部１０が操作信号を受信した場合、制御部１０の動作状態は第３動作状態１０５へ移行する。
【００３４】
制御部１０の動作状態が、第３動作状態１０５の時、ユーザーが操作部２の操作を止めて、操作信号の受信が停止した場合、制御部１０は、操作信号の停止を判定して、制御部１０動作状態を第４動作状態１０７へ移行する。制御部１０は第２タイマー処理を開始する。
【００３５】
制御部１０の動作状態が、第４動作状態１０７の時、第２タイマー処理がタイムアウトすれば、制御部１０は動作状態を第１動作状態１０１へ移行する。２種類の信号（検知信号及び操作信号）と、２種類のタイマー（第１タイマーｔ１及び第２タイマーｔ２）と、４種類の動作状態とに基づいて、ユーザーの待ち時間を短くするという利便性と省エネ性とのバランスを鑑みた、キメの細かい２種類の動作モード（通常モード及び省電力モード）の移行を制御部１０が実行する。
【００３６】
続いて、図１〜図４を参照して、制御部１０の動作状態の移行を説明する。図３は、制御部１０の動作状態の移行を示すフローチャートである。本実施形態において、制御部１０の動作状態の移行は、例えば、電源部１９がオンにされた時に開始される。
【００３７】
ステップＳ２０１：制御部１０は、制御部１０の動作状態を第１動作状態１０１に移行する。
【００３８】
ステップＳ２０３：制御部１０は、人感センサー部１１からの検知信号の受信の有無を判定する。人感センサー部１１から検知信号の受信があった場合（ステップＳ２０３でＹｅｓ）、制御部１０は処理をステップＳ２０５へ移す。人感センサー部１１から検知信号の受信が無かった場合（ステップＳ２０３でＮｏ）、制御部１０は処理をステップＳ２０３に留める。
【００３９】
ステップＳ２０５：制御部１０は、制御部１０の動作状態を第１動作状態１０１から第２動作状態１０３に移行する。
【００４０】
ステップＳ２０７：制御部１０は、第１タイマーｔ１をリセットし、計時を開始する。
【００４１】
ステップＳ２０９：制御部１０は、操作部２からの操作信号の受信の有無を判定する。操作部２からの操作信号の受信が有る場合（ステップＳ２０９でＹｅｓ）、制御部１０は処理を図４のステップＳ２１５へ移す。操作部２からの操作信号の受信が無い場合（ステップＳ２０９でＮｏ）、制御部１０は処理をステップＳ２１１に移す。
【００４２】
ステップＳ２１１：制御部１０は、第１タイマーｔ１の値が第１時間（経過時間Ｔ１）になった場合（ステップＳ２１１でＹｅｓ）、制御部１０は処理をステップＳ２０１へ移す。第１タイマーｔ１の値が第１時間になっていない場合（ステップＳ２１１でＮｏ）、制御部１０は処理をステップＳ２１３に移す。例えば、第１時間は１８０秒である。
【００４３】
ステップＳ２１３：制御部１０は、第１タイマーｔ１をカウントアップし、制御部１０は処理をステップＳ２０９に移す。本実施形態では、第１タイマーｔ１及び第２タイマーｔ２は秒単位で計時する。カウントアップは、各タイマー処理への１秒間の加算を意味する。
【００４４】
図４を参照して、ステップＳ２１５〜ステップＳ２２９の処理を説明する。ステップＳ２１５：制御部１０は、制御部１０の動作状態を第２動作状態１０３から第３動作状態１０５に移行する。
【００４５】
ステップＳ２１７：制御部１０は、操作部２からの操作信号の受信の有無を判定する。操作部２からの操作信号の受信がある場合（ステップＳ２１７でＹｅｓ）、制御部１０は処理をステップＳ２１７に留める。操作部２からの操作信号の受信がない場合（ステップＳ２１７でＮｏ）、制御部１０は処理をステップＳ２１９に移す。
【００４６】
ステップＳ２１９：制御部１０は、制御部１０の動作状態を第３動作状態１０５から第４動作状態１０７に移行する。
【００４７】
ステップＳ２２１：制御部１０は、第２タイマーｔ２をリセットし、計時を開始する。したがって、制御部１０が操作部２から操作信号を受信した場合は、第２時間で第２タイマー処理がタイムアウトし、制御部１０は省電力モードになる。
【００４８】
ステップＳ２２３：制御部１０は、人感センサー部１１からの検知信号の受信の有無を判定する。人感センサー部１１から検知信号の受信があった場合（ステップＳ２２３でＹｅｓ）、制御部１０は処理をステップＳ２２５へ移す。人感センサー部１１から検知信号の受信が無い場合（ステップＳ２２３でＮｏ）、制御部１０は処理をステップＳ２２７に移す。
【００４９】
ステップＳ２２５：制御部１０は、第２タイマーｔ２をリセットし、計時を開始する。第２タイマーｔ２をリセットすることによって、制御部１０は、人感センサー１１から検知信号を受信する度に、第２タイマーｔ２の計時開始を繰り返す。
【００５０】
ステップＳ２２７：制御部１０は、第２タイマーｔ２の値が第２時間（経過時間Ｔ２）になったか否かを判定する。第２タイマーｔ２の値が第２時間になった場合（ステップＳ２２７でＹｅｓ）、制御部１０は処理をステップＳ２０１へ移す。例えば、第２時間は３００秒である。第２タイマーｔ２の値が第２時間になっていない場合（ステップＳ２２７でＮｏ）、制御部１０は処理をステップＳ２２９に移す。
【００５１】
ステップＳ２２９：制御部１０は、第２タイマーｔ２をカウントアップし、制御部１０は処理をステップＳ２２３に移す。
【００５２】
続いて、図２〜図８を参照して、本発明の実施例１〜実施例４について説明する。主に、検知信号及び操作信号の受信のタイミングと制御部１０の動作状態の移行とについて説明する。
【００５３】
（実施例１）
図２〜図５を参照して、本発明の実施例１を説明する。図５は、検知信号及び操作信号と電力状態との一例を示す図である。図５に示す例によれば、ユーザーは画像形成装置１００の前に居て、ユーザーは画像形成装置１００を操作しない。
【００５４】
図５は、タイムチャートＡと、タイムチャートＢと、タイムチャートＣと、タイムチャートＤとを示す。タイムチャートＡ〜タイムチャートＤの横軸は時間を示す。タイムチャートＡは、人感センサー１１の検知領域にユーザーがいるか否かを示す。タイムチャートＡでは、人感センサー１１の検知領域にユーザーがいる場合はＨｉｇｈを示し、人感センサー１１の検知領域にユーザーがいない場合はＬｏｗを示す。タイムチャートＢは、制御部１０において操作信号を受信したか否かを示す。タイムチャートＢでは、制御部１０において操作信号を受信した場合はＨｉｇｈを示し、制御部１０において操作信号を受信していない場合はＬｏｗを示す。タイムチャートＣは、制御部１０において検知信号を受信したか否かを示す。タイムチャートＣでは、制御部１０において検知信号を受信した場合はＨｉｇｈを示し、制御部１０において検知信号を受信していない場合はＬｏｗを示す。タイムチャートＤは、制御部１０の動作モードを示す。タイムチャートＤでは、通常モードである場合はＨｉｇｈを示し、省電力モードである場合はＬｏｗを示す。
【００５５】
ユーザーは、時刻ｔ１以降、人感センサー部１１の検知領域にいる。ユーザーは操作部２に対して操作をしないため、制御部１０は操作信号を受信しない。
【００５６】
ステップＳ２０１：時刻ｔ１までは、制御部１０は、制御部１０の動作状態を第１動作状態１０１に留めている。
【００５７】
ステップＳ２０３：本実施例において、制御部１０は、ユーザーが人感センサー部１１の検知領域に入った時刻ｔ１に、人感センサー部１１は検知信号を生成し、制御部１０は検知信号を受信する。時刻ｔ１に、タイムチャートＡはＨｉｇｈを示し、タイムチャートＢはＬｏｗを示し、タイムチャートＣはＨｉｇｈを示す。制御部１０は、人感センサー部１１からの検知信号の受信の有無を判定する。制御部１０は、検知信号を受信し（ステップＳ２０３でＹｅｓ）、制御部１０は処理をステップＳ２０５へ移す。
【００５８】
ステップＳ２０５：制御部１０は、制御部１０の動作状態を第１動作状態１０１から第２動作状態１０３へ移行する。タイムチャートＤはＨｉｇｈを示す。
【００５９】
ステップＳ２０７：制御部１０は、第１タイマーｔ１をリセットし、計時を開始する。
【００６０】
ステップＳ２０９：制御部１０は、操作部２からの操作信号の受信の有無を判定する。操作部２からの操作信号の受信がないため（ステップＳ２０９でＮｏ）、タイムチャートＢはＬｏｗを示す。制御部１０は処理をステップＳ２１１に移す。
【００６１】
ステップＳ２１１：時刻ｔ２（＝ｔ１＋Ｔ１）までは、第１タイマーｔ１の値が経過時間Ｔ１を経過していないので（ステップＳ２１１でＮｏ）、制御部１０は処理をステップＳ２１３に移す。
【００６２】
ステップＳ２１３：制御部１０は、第１タイマーｔ１をカウントアップし、制御部１０は処理をステップＳ２０９に移す。
【００６３】
ステップＳ２０９：制御部１０は、操作部２からの操作信号の受信の有無を判定する。操作部２からの操作信号の受信がない場合（ステップＳ２０９でＮｏ）、制御部１０は処理をステップＳ２１１に移す。
【００６４】
ステップＳ２１１：時刻ｔ２に、第１タイマーｔ１の値が経過時間Ｔ１になると（ステップＳ２１１でＹｅｓ）、第１タイマー処理はタイムアウトし、制御部１０は処理をステップＳ２０１へ移す。制御部１０は動作状態を第２動作状態１０３から第１動作状態１０１へ移行する。時刻ｔ２に、タイムチャートＡはＨｉｇｈを示し、タイムチャートＢはＬｏｗを示し、タイムチャートＣはＬｏｗを示す。したがって、人感センサー１１の検知信号で制御部１０が通常モードへ復帰した場合は、第１タイマー処理のタイムアウトで制御部１０は省電力モードになる。タイムチャートＤはＬｏｗを示す。
【００６５】
（実施例２）
図２〜図４、及び図６を参照して、本発明の実施例２を説明する。図６は、検知信号及び操作信号と電力状態との他例を示す図である。図６に示す例によれば、ユーザーが画像形成装置１００の前を通り過ぎる。ユーザーは、時刻ｔ１〜時刻ｔ１ｂまで、人感センサー部１１の検知領域にいる。ユーザーは画像形成装置１００を操作しないで画像形成装置１００を通り過ぎるため、制御部１０は操作信号を受信しない。
【００６６】
ステップＳ２０１：時刻ｔ１までは、制御部１０は、制御部１０の動作状態を第１動作状態１０１に留めている。
【００６７】
ステップＳ２０３：制御部１０は、ユーザーが人感センサー部１１の検知領域に入った時刻ｔ１に、人感センサー部１１は検知信号を生成し、制御部１０は検知信号を受信する。制御部１０は、人感センサー部１１からの検知信号の受信の有無を判定する。人感センサー部１１からの検知信号の受信があった場合（ステップＳ２０３でＹｅｓ）、制御部１０は処理をステップＳ２０５へ移す。
【００６８】
ステップＳ２０５：制御部１０は、制御部１０の動作状態を第１動作状態１０１から第２動作状態１０３へ移行する。
【００６９】
ステップＳ２０７：制御部１０は、第１タイマーｔ１をリセットし、計時を開始する。
【００７０】
ステップＳ２０９：制御部１０は、操作部２からの操作信号の受信の有無を判定する。操作部２からの操作信号の受信がないため（ステップＳ２０９でＮｏ）、タイムチャートＢはＬｏｗを示し、制御部１０は処理をステップＳ２１１に移す。
【００７１】
ステップＳ２１１：時刻ｔ２（＝ｔ１＋Ｔ１）までは、第１タイマーｔ１の値が経過時間Ｔ１にならないので（ステップＳ２１１でＮｏ）、制御部１０は処理をステップＳ２１３に移す。
【００７２】
ステップＳ２１３：制御部１０は、第１タイマーｔ１をカウントアップし、制御部１０は処理をステップＳ２０９に移す。
【００７３】
ステップＳ２０９：制御部１０は、操作部２からの操作信号の受信の有無を判定する。操作部２からの操作信号の受信がないため（ステップＳ２０９でＮｏ）、制御部１０は処理をステップＳ２１１に移す。
【００７４】
ステップＳ２１１：時刻ｔ２に、第１タイマーｔ１の値が経過時間Ｔ１になると（ステップＳ２１１でＹｅｓ）、第１タイマー処理はタイムアウトし、制御部１０は処理をステップＳ２０１へ移す。制御部１０は動作状態を第２動作状態１０３から第１動作状態１０１へ移行する。
【００７５】
実施例２では、制御部１０は、制御部１０の動作状態が第２動作状態１０３で、ステップＳ２０９〜ステップＳ２１３を繰り返して実行している間は、検知信号を受信しても、処理には影響を受けない。したがって、ユーザーが人感センサー１１の検知領域から出る時刻ｔ１ｂに検知信号を受信しても、制御部１０は無視するので、第１タイマー処理の開始は行わない。したがって、通常モードの時間は延長されない。
【００７６】
（実施例３）
図２〜図４、及び図７を参照して、本発明の実施例３を説明する。図７は、検知信号及び操作信号と電力状態との他例を示す図である。図７に示す例によれば、ユーザーは画像形成装置１００の前に居て、ユーザーが画像形成装置１００を操作する。ユーザーは、時刻ｔ１以降、人感センサー部１１の検知領域にいる。時刻ｔ３〜時刻ｔ４までユーザーは画像形成装置１００を操作するので、制御部１０は操作信号を受信する。
【００７７】
ステップＳ２０１：時刻ｔ１までは、制御部１０は、制御部１０の動作状態を第１動作状態１０１に留めている。
【００７８】
ステップＳ２０３：制御部１０は、ユーザーが人感センサー部１１の検知領域に入った時刻ｔ１に、人感センサー部１１は検知信号を生成し、制御部１０は検知信号を受信する。制御部１０は、人感センサー部１１からの検知信号の受信の有無を判定する。人感センサー部１１から検知信号の受信があったため（ステップＳ２０３でＹｅｓ）、タイムチャートＡ及びタイムチャートＣはＨｉｇｈを示し、制御部１０は処理をステップＳ２０５へ移す。
【００７９】
ステップＳ２０５：制御部１０は、制御部１０の動作状態を第１動作状態１０１から第２動作状態１０３へ移行する。タイムチャートＤはＨｉｇｈを示す。
【００８０】
ステップＳ２０７：制御部１０は、第１タイマーｔ１をリセットし、計時を開始する。
【００８１】
ステップＳ２０９：制御部１０は、操作部２からの操作信号の受信の有無を判定する。操作部２からの操作信号の受信がないため（ステップＳ２０９でＮｏ）、タイムチャートＢはＬｏｗを示し、制御部１０は処理をステップＳ２１１に移す。
【００８２】
ステップＳ２１１：時刻ｔ３までは、第１タイマーｔ１の値が経過時間Ｔ１にならないため（ステップＳ２１１でＮｏ）、制御部１０は処理をステップＳ２１３に移す。
【００８３】
ステップＳ２１３：制御部１０は、第１タイマーｔ１をカウントアップし、処理をステップＳ２０９に移す。
【００８４】
ステップＳ２０９：制御部１０は、操作部２からの操作信号の受信の有無を判定する。時刻ｔ３に、操作部２からの操作信号の受信がある場合（ステップＳ２０９でＹｅｓ）、制御部１０は処理を図４のステップＳ２１５に移す。時刻ｔ３に、タイムチャートＡはＨｉｇｈを示し、タイムチャートＢはＨｉｇｈを示し、タイムチャートＣはＬｏｗを示し、タイムチャートＤはＨｉｇｈを示す。
【００８５】
ステップＳ２１５：制御部１０は、制御部１０の動作状態を第３動作状態１０５に移す。
【００８６】
ステップＳ２１７：制御部１０は、操作部２からの操作信号の受信の有無を判定する。時刻ｔ４まで、操作部２からの操作信号の受信があるため（ステップＳ２１７でＹｅｓ）、制御部１０は処理をステップＳ２１７に留める。時刻ｔ４に、操作部２からの操作信号の受信がなくなるため（ステップＳ２１７でＮｏ）、制御部１０は処理をステップＳ２１９に移す。時刻ｔ４に、タイムチャートＡはＨｉｇｈを示し、タイムチャートＢはＬｏｗを示し、タイムチャートＣはＬｏｗを示し、タイムチャートＤはＨｉｇｈを示す。
【００８７】
ステップＳ２１９：制御部１０は、制御部１０の動作状態を第４動作状態１０７に移行する。
【００８８】
ステップＳ２２１：制御部１０は、第２タイマーｔ２をリセットし、計時を開始する。
【００８９】
ステップＳ２２３：制御部１０は、人感センサー部１１からの検知信号の受信の有無を判定する。人感センサー部１１からの検知信号が無いため（ステップＳ２２３でＮｏ）、制御部１０は処理をステップＳ２２７に移す。
【００９０】
ステップＳ２２７：時刻ｔ５（＝ｔ４＋Ｔ２）に、第２タイマーｔ２の値が経過時間Ｔ２になったため（ステップＳ２２７でＹｅｓ）、制御部１０は処理をステップＳ２０１へ移す。時刻ｔ５までは、第２タイマーｔ２の値が経過時間Ｔ２にならないため（ステップＳ２２７でＮｏ）、制御部１０は処理をステップＳ２２９に移す。
【００９１】
ステップＳ２２９：制御部１０は、第２タイマーｔ２をカウントアップし、制御部１０は処理をステップＳ２２３に移す。したがって、操作部２の操作信号を受信した場合は、第２タイマー処理のタイムアウトで制御部１０は省電力モードになる。
【００９２】
（実施例４）
図２〜図４、及び図８を参照して、本発明の実施例４を説明する。図８は、検知信号及び操作信号と電力状態との他例を示す図である。図８に示す例によれば、ユーザーが画像形成装置１００を操作した後、他のユーザーが画像形成装置１００の前を通り過ぎる。ユーザーは、時刻ｔ１〜ｔ６まで、人感センサー部１１の検知領域にいる。ユーザーは、時刻ｔ３〜時刻ｔ４まで画像形成装置１００を操作するため、制御部１０は操作信号を受信する。時刻ｔ４以降、第２タイマーｔ２がタイムアウトするまでの間に、他のユーザーが人感センサー部１１の検知領域を通過する（時刻ｔ７、時刻ｔ８）。時刻ｔ１から時刻ｔ４までは実施例３と同様の処理であるため、説明は省略する。
【００９３】
ステップＳ２２３：制御部１０は、人感センサー部１１からの検知信号の受信の有無を判定する。時刻ｔ６、時刻ｔ７、及び時刻ｔ８に、人感センサー部１１からの検知信号の受信があるため、タイムチャートＣはＨｉｇｈを示し、（ステップＳ２２３でＹｅｓ）、制御部１０は処理をステップＳ２２５へ移す。
【００９４】
時刻ｔ６に、ユーザーが人感センサー部１１の検知領域から出るので、タイムチャートＡはＬｏｗを示し、タイムチャートＢはＬｏｗを示し、タイムチャートＣはＨｉｇｈを示し、タイムチャートＤはＨｉｇｈを示す。時刻ｔ７に、他のユーザーが人感センサー部１１の検知領域に入るのでタイムチャートＡはＨｉｇｈを示し、タイムチャートＢはＬｏｗを示し、タイムチャートＣはＨｉｇｈを示し、タイムチャートＤはＨｉｇｈを示す。時刻ｔ８に、他のユーザーが人感センサー部１１の検知領域から出るので、タイムチャートＡはＬｏｗを示し、タイムチャートＢはＬｏｗを示し、タイムチャートＣはＨｉｇｈを示し、タイムチャートＤはＨｉｇｈを示す。
【００９５】
ステップＳ２２５：制御部１０は、第２タイマーｔ２をリセットし、計時を開始する。したがって、制御部１０は、人感センサー１１からの検知信号を受信する毎に、第２タイマー処理を開始する。したがって、通常モードの時間が延長される。
【００９６】
ステップＳ２２７：時刻ｔ９（＝ｔ８＋Ｔ２）に、第２タイマーｔ２の値が経過時間Ｔ２になったため（ステップＳ２２７でＹｅｓ）、制御部１０は処理をステップＳ２０１へ移す。時刻ｔ９までは、第２タイマーｔ２の値が経過時間Ｔ２にならないため（ステップＳ２２７でＮｏ）、制御部１０は処理をステップＳ２２９に移す。時刻ｔ９に、タイムチャートＡはＬｏｗを示し、タイムチャートＢはＬｏｗを示し、タイムチャートＣはＬｏｗを示し、タイムチャートＤはＬｏｗを示す。
【００９７】
実施例３及び実施例４では、ユーザーが操作部２を操作した時、操作信号を制御部１０は受信して、第１タイマー処理を停止する実施例を説明した。但し、本発明は、上記の実施例に限られるものではない。
【００９８】
図９は、操作イベントと第１タイマー処理の停止との関係を示す図である。第１タイマー処理の停止に係る操作信号と、第１タイマー処理の停止に係わらない操作信号とを制御部１０は区別する。記憶部９は、操作イベントと第１タイマーｔ１との関係を、関係情報として記憶する。制御部１０は、操作信号によって示された操作内容に基づいて、第１タイマー処理を停止するか否かを判定する。具体的には、制御部１０は、記憶部９に記憶された関係情報を読み出し、関係情報に基づいて、第１タイマー処理を停止するか否かを判定する。例えば、操作部２のキー押下又はタッチパネル２１にタッチする操作イベントに対しては、第１タイマーｔ１をリセットする。しかしながら、画像形成装置１００にＵＳＢメモリーを挿す、又は用紙カセットの開閉という操作イベントに対しては、第１タイマーｔ１をリセットしない。このように制御部１０は、操作イベントの中から第１タイマーｔ１をリセットする操作イベントを設定できる。
【００９９】
以上、本発明の画像形成装置１００について、図面（図１〜図９）を参照しながら説明した。但し、本発明は、上記の実施形態に限られるものではなく、その要旨を逸脱しない範囲で種々の態様において実施することが可能である。また、上記の実施形態で示す構成や数値は、一例であって特に限定されるものではなく、本発明の効果から実質的に逸脱しない範囲で種々の変更が可能である。
【０１００】
本実施形態では、モノクロ方式の画像形成装置１００に本発明が適用される場合を例に説明したが、本発明は、例えば、カラー方式の画像形成装置１００にも適用可能である。
【０１０１】
また、本実施形態では、電子写真方式の画像形成装置１００に本発明が適用される場合を例に説明したが、本発明は、例えば、インクジェット方式の記録装置にも適用可能である。
【産業上の利用可能性】
【０１０２】
本発明は、人感センサーを使用する画像形成装置の分野に有用である。
【符号の説明】
【０１０３】
２                操作部
１０              制御部
１１              人感センサー部
１００            画像形成装置
【図１】
2019188667.tif 000003
【図２】
2019188667.tif 000004
【図３】
2019188667.tif 000005
【図４】
2019188667.tif 000006
【図５】
2019188667.tif 000007
【図６】
2019188667.tif 000008
【図７】
2019188667.tif 000009
【図８】
2019188667.tif 000010
【図９】
2019188667.tif 000011